(57)【要約】【課題】２つの枠材を外れ難い状態に、容易に連結することが可能な連結構造等を提供する。【解決手段】２つの枠材を連結部材により連結する連結構造であって、前記２つの枠材のうちの一方の枠材は、長手方向における端部に前記連結部材が回転されることにより解除可能に係合する切欠部を有し、前記２つの枠材のうちの他方の枠材は、長手方向における端部に前記連結部材が長手方向に沿って挿入される被挿入部を有し、前記連結部材は、前記一方の枠材の前記切欠部に係合されているとともに前記他方の枠材の前記被挿入部に挿入されていることにより前記回転が規制されている。【選択図】図１２
2020023843.tif 000002
【特許請求の範囲】
【請求項１】
２つの枠材を連結部材により連結する連結構造であって、
前記２つの枠材のうちの一方の枠材は、長手方向における端部に前記連結部材が回転されることにより解除可能に係合する切欠部を有し、
前記２つの枠材のうちの他方の枠材は、長手方向における端部に前記連結部材が長手方向に沿って挿入される被挿入部を有し、
前記連結部材は、前記一方の枠材の前記切欠部に係合されているとともに前記他方の枠材の前記被挿入部に挿入されていることにより前記回転が規制されていることを特徴とする連結構造。
【請求項２】
請求項１に記載の連結構造であって、
前記一方の枠材と前記他方の枠材とが連結された状態で前記他方の枠材が前記一方の枠材に係止されて前記他方の枠材の回転が規制されていることを特徴とする連結構造。
【請求項３】
請求項２に記載の連結構造であって、
対をなす前記一方の枠材と、対をなす前記他方の枠材とが連結されて面材の外周部に当接可能な枠体をなし、
前記一方の枠材及び前記他方の枠材は、各々の前記枠材の長手方向に沿って前記面材の外周部と対面する面材対向部を有し、
前記他方の枠材は、当該他方の枠材の前記面材対向部が前記一方の枠材に係止されていることを特徴とする連結構造。
【請求項４】
請求項３に記載の連結構造であって、
前記連結部材が係合される一対の前記一方の枠材は、互いに間隔を隔てて対面する対面部に各々前記切欠部が設けられており、
対面する前記対面部の前記切欠部に各々係合される前記連結部材は、前記切欠部との係合が解除される際の前記回転の方向が互いに反対であることを特徴とする連結構造。
【請求項５】
請求項１に記載の連結構造であって、
対をなす前記一方の枠材と、対をなす前記他方の枠材とが連結されて枠体をなし、
前記連結部材が係合される一対の前記一方の枠材は、互いに間隔を隔てて対面する対面部に各々前記切欠部が設けられており、
対面する前記対面部の前記切欠部に各々係合される前記連結部材は、前記切欠部との係合が解除される際の前記回転の方向が互いに反対であることを特徴とする連結構造。
【請求項６】
請求項３乃至請求項５のいずれかに記載の連結構造により連結された前記枠体と、
前記枠体が装着される戸本体と、
を有することを特徴とする戸体。
【発明の詳細な説明】
【技術分野】
【０００１】
本発明は、２つの枠材を連結部材により連結する連結構造及び戸体に関する。
【背景技術】
【０００２】
２つの枠材を連結部材により連結する連結構造としては、例えば、戸体の中央部の開口部に設けられる板体の外周縁部と開口部の縁部とを室内外から取り囲む前額縁及び後額縁において、前額縁及び後額縁を構成する縦枠と横枠とをキャップを介して連結することが知られている（例えば、特許文献１参照）。前額縁及び後額縁は、縦枠及び横枠の端部が各々４５度に傾斜しており、キャップが有する仲介片が縦枠の端部と横枠の端部と間に配置され、仲介片から縦方向および横方向にそれぞれ突出している腕及び片が、縦枠及び横枠の小口から挿入され、縦枠及び横枠は片とビス止めされることにより連結されている。
【先行技術文献】
【特許文献】
【０００３】
【特許文献１】特開２００１−３６４６号公報
【発明の概要】
【発明が解決しようとする課題】
【０００４】
上記前額縁及び後額縁の連結構造では、縦枠と横枠とにキャップの腕及び片を小口から挿入した後に、ビス止めしているので、ドライバー等の工具を用いなければならず作業が繁雑である。また、工具を用いることなくキャップの腕及び片を縦枠と横枠の小口から挿入するだけでは、縦枠及び横枠が脱けやすく、前額縁及び後額縁を連結した状態を保つこと、また、保ちつつ移動することが難しいという課題がある。
【０００５】
本発明は、かかる課題に鑑みてなされたものであり、その目的とするところは、２つの枠材を外れ難い状態に、容易に連結することが可能な連結構造及び戸体を提供することにある。
【課題を解決するための手段】
【０００６】
かかる目的を達成するための主たる発明は、
２つの枠材を連結部材により連結する連結構造であって、
前記２つの枠材のうちの一方の枠材は、長手方向における端部に前記連結部材が回転されることにより解除可能に係合する切欠部を有し、
前記２つの枠材のうちの他方の枠材は、長手方向における端部に前記連結部材が長手方向に沿って挿入される被挿入部を有し、
前記連結部材は、前記一方の枠材の前記切欠部に係合されているとともに前記他方の枠材の前記被挿入部に挿入されていることにより前記回転が規制されていることを特徴とする連結構造である。
本発明の他の特徴については、本明細書及び添付図面の記載により明らかにする。
【発明の効果】
【０００７】
本発明によれば、２つの枠材を外れ難い状態に、容易に連結することが可能な連結構造及び戸体を提供することが可能である。
【図面の簡単な説明】
【０００８】
【図１】本実施形態に係る扉を示す斜視図である。
【図２】扉を構成する戸本体を示す斜視図である。
【図３】額縁ユニットの縦断面図である。
【図４】額縁ユニットの横断面図である。
【図５】額縁構成枠を示す斜視図である。
【図６】連結部材と係合切欠部を示す斜視図である。
【図７】横枠材及び縦枠材を示す斜視図である。
【図８】左右の縦枠材と挿入時の連結部材の回転方向を示す斜視図である。
【図９】係合切欠部の形状を示す図である。
【図１０】図１０（ａ）は、連結部材の形状を示す平面図、図１０（ｂ）は、図１０（ａ）におけるＡ−Ａ断面図、図１０（ｃ）は、図１０（ａ）におけるＢ−Ｂ断面図である。
【図１１】図１１（ａ）は、連結部材が係合切欠部に係合される状態を図１０（ａ）におけるＡ−Ａ側から見た断面図、図１１（ｂ）は、連結部材が係合切欠部に係合される状態を図１０（ａ）におけるＢ−Ｂ側から見た断面図である。
【図１２】縦枠材に係合された連結部材を横枠材の連結部材被挿入部に挿入して縦枠材と横枠材とを連結する状態を示す斜視図である。
【図１３】縦枠材と横枠材とが連結された状態を示す斜視図である。
【図１４】係合される連結部材の回転方向が左右で異なる縦枠材を示す斜視図である。
【図１５】図１５（ａ）は、本連結構造を上吊り障子用の枠体に適用した例を示す縦断面図、図１５（ｂ）は、本連結構造を上吊り障子用の枠体に適用した例を示す横断面図、図１５（ｃ）は、縦枠材と横枠材との接合部を示す斜視図である。
【発明を実施するための形態】
【０００９】
以下、本発明の一実施形態に係る２つの枠材の連結構造及び戸体について図面を参照して説明する。
本実施形態では、本発明の一実施形態に係る連結構造により連結されている枠体が取り付けられている戸体としての扉を例に挙げて説明する。
【００１０】
本実施形態の扉１は、図１〜図５に示すように、パネル状の断熱材１ａの表裏面に表面材１ｂが設けられた戸本体１ｃと、戸本体１ｃの外周を囲むフレーム１ｄと、戸本体１ｃの中央に設けられた矩形状の開口１ｅに装着される額縁ユニット２と、を有している。
【００１１】
以下の説明においては、扉１が取り付けられている状態で、上下となる方向を上下方向、左右となる方向を左右方向、奥行き方向を見込み方向として示す。扉１の各部位であっても、また、扉１を構成する各部材については単体の状態であっても、扉１が建物等に取り付けられている状態にて上下方向、左右方向、見込み方向となる方向にて方向を特定して説明する。
【００１２】
額縁ユニット２は、戸本体１ｃの開口１ｅ内に配置される面材としてのガラス板２０と、室内側及び室外側から各々ガラス板２０の外周部２０ａに当接してガラス板２０を挟持する一対の枠体としての額縁構成枠３でなる額縁３０と、を有している。一対の額縁構成枠３は、同一の部材である。以下の額縁構成枠３の説明においては、見込み方向において戸本体１ｃの厚みの中央側をガラス側とし、戸本体１ｃの表面材側を単に表面材側として説明する。
【００１３】
額縁構成枠３は、開口１ｅの上下に配置され対をなす枠材としての押出成型材でなる横枠材３１と、開口１ｅの左右に配置され対をなす枠材としての押出成型材でなる縦枠材３２と、を有し、左右方向に間隔を空けて配置される２本の縦枠材３２の間に挟まれるように上下の横枠材３１が配置されている。本実施形態においては、縦枠材３２が２つの枠材のうちの一方の枠材に相当し、横枠材３１が２つの枠材のうちの他方の枠材に相当する。
【００１４】
各横枠材３１は、戸本体１ｃの開口１ｅを形成する上または下の内周面１ｆのいずれかと対向する横内周面対向部３１ａと、横内周面対向部３１ａと繋がって戸本体１ｃの表面材１ｂと対向する横表面対向部３１ｂと、横内周面対向部３１ａのガラス側の端から開口１ｅの中央側に延出されてガラス板２０の外周部２０ａと対向する面材対向部としての横ガラス対向部３１ｃと、横内周面対向部３１ａのガラス側の端から内周面側及びガラス側に延出された横延出部３１ｄと、横延出部３１ｄの先端に、内周面１ｆ側に延出されて接着剤４が供給される横接着部３１ｅと、を有している。
【００１５】
また、横内周面対向部３１ａにおいて開口１ｅの内周面１ｆと対向する部位には、横枠材３１と縦枠材３２とを連結する、後述する連結部材５が挿入される連結部材被挿入部３１ｆが設けられている。
【００１６】
連結部材被挿入部３１ｆは、横内周面対向部３１ａと、横内周面対向部３１ａから内周面側に突出して先端が屈曲したフック片３１ｇと、横表面対向部３１ｂと、横表面対向部３１ｂからガラス側に突出された挿入突片３１ｈと、により形成されている。
【００１７】
フック片３１ｇの横内周面対向部３１ａからの突出量、挿入突片３１ｈの内周面側の面の位置は、横接着部３１ｅの内周面側への延出量と同一に設定されており、横内周面対向部３１ａが内周面１ｆに当接する場合には、フック片３１ｇ、挿入突片３１ｈ、及び、横接着部３１ｅが当接されるように構成されている。
【００１８】
横ガラス対向部３１ｃは、見込み方向において横接着部３１ｅより表面材側に設けられており、開口１ｅの中央側の端部に、ガラス側に延出されてガラス板２０の外周部２０ａに当接される面材当接部としての横ガラス当接片３１ｉが設けられている。
【００１９】
各縦枠材３２は、戸本体１ｃの開口１ｅの左または右の内周面１ｇのいずれかと対向する縦内周面対向部３２ａと、縦内周面対向部３２ａと繋がって戸本体１ｃの表面材１ｂと対向する縦表面対向部３２ｂと、縦内周面対向部３２ａから開口１ｅの中央側に延出されてガラス板２０の外周部２０ａと対向する面材対向部としての縦ガラス対向部３２ｃと、を有している。ここで、縦内周面対向部３２ａが、互いに間隔を隔てて対面する対面部に相当する。
【００２０】
縦内周面対向部３２ａのガラス側の端部には、開口１ｅを形成する内周面１ｇ側と開口１ｅの中央側とにそれぞれ延出され、接着剤４が供給される縦接着部３２ｄが設けられている。また、縦内周面対向部３２ａにおいて開口１ｅの内周面１ｇと対向する部位には、内周面側に突出する縦リブ３２ｆが設けられている。縦リブ３２ｆの突出量は、縦接着部３２ｄの内周面側への延出量と同一に設定されており、縦内周面対向部３２ａが内周面１ｇに当接する場合には、縦リブ３２ｆと縦接着部３２ｄとが当接されるように構成されている。
【００２１】
縦ガラス対向部３２ｃは、見込み方向において縦接着部３２ｄより表面材側に設けられており、開口１ｅの中央側の端部に、ガラス側に延出されてガラス板２０の外周部２０ａに当接される面材当接部としての縦ガラス当接片３２ｇが設けられている。
【００２２】
縦枠材３２は、横枠材３１の端が縦枠材３２の縦内周面対向部３２ａに当接されるとともに、図６〜図８に示すように、連結部材５が回転されつつ係合される係合切欠部３２０が設けられている。より具体的には、縦枠材３２の上下の端部は、縦ガラス対向部３２ｃが切除されるとともに、残存する縦ガラス対向部３２ｃより上下の端部側であって、縦ガラス対向部３２ｃよりも表面材側に、連結部材５が係合される係合切欠部３２０が設けられている。また、残存する縦ガラス対向部３２ｃの上下の端部は、縦ガラス当接片３２ｇが切除されている。また、縦枠材３２の縦接着部３２ｄの上下の端部には、開口１ｅの中央側に延出された部位の一部が切除された凹部３２ｈが設けられている。凹部３２ｈの上下方向の幅Ｗ１は、横枠材３１の横接着部３１ｅの上下方向の幅Ｗ２とほぼ一致している。
【００２３】
対をなす縦枠材３２は、左右に間隔を空けて配置される縦枠材３２の縦内周面対向部３２ａ同士を対面させたときに、各々の縦内周面対向部３２ａに設けられている係合切欠部３２０が重なり合うように形成されている。また、縦枠材３２の上端及び下端に設けられている係合切欠部３２０は、同一形状であり、上下が反転した形状をなしている。このため、ここでは表面材側から見て左側に位置する縦枠材３２の上端側に設けられている係合切欠部３２０を例に挙げて形状を説明する。
【００２４】
上端側に設けられている係合切欠部３２０は、図９に示すように、上方側が開放されて下方側に窪むように切り欠かれており、表面材側の縁部３２０ａとガラス側の縁部３２０ｂと、表面材側の縁部３２０ａの下端と、ガラス側の縁部３２０ｂの下端とを水平に繋ぐ底縁３２０ｃとを有している。
【００２５】
表面材側の縁部３２０ａは、上端部から鉛直な縁をなす表面材側上縁３２０ｄと、底縁３２０ｃの表面材側の端部であって、表面材側上縁３２０ｄよりガラス側の位置から鉛直な縁をなす表面材側下縁３２０ｅと、表面材側上縁３２０ｄの下端と表面材側下縁３２０ｅの上端とを傾斜した縁で繋ぐ表面材側傾斜縁３２０ｆと、を有している。
【００２６】
ガラス側の縁部３２０ｂは、表面材側上縁３２０ｄと見込み方向に間隔を空けて上端部から鉛直な縁をなすガラス側上縁３２０ｇと、底縁３２０ｃのガラス側の端部であって、ガラス側上縁３２０ｇよりガラス側の位置から鉛直な縁をなすガラス側下縁３２０ｈと、ガラス側上縁３２０ｇの下端とガラス側下縁３２０ｈの上端とを水平な縁で繋ぐガラス側連結縁３２０ｉと、を有している。このとき、ガラス側上縁３２０ｇとガラス側下縁３２０ｈとの見込み方向の間隔Ｌ１は、表面材側上縁３２０ｄと表面材側下縁３２０ｅとの見込み方向の間隔Ｌ２より広く形成され、表面材側上縁３２０ｄの下端は、ガラス側上縁３２０ｇの下端より低い位置に形成されている。また、縦内周面対向部３２ａは、係合切欠部３２０に対して表面材側の部位３２０ｊの方がガラス側の部位３２０ｋより高く形成されている。
【００２７】
図６、図１０（ａ）に示すように、連結部材５は、高さが低い扁平のほぼ直方体状をなし、連結部材５の長手方向における一方の側に設けられ、縦枠材３２の縦内周面対向部３２ａより額縁構成枠３の外周側に突出する突出部５０と、長手方向における他方の側に設けられ、横枠材３１の連結部材被挿入部３１ｆに、横枠材３１の長手方向に沿って圧入状態で挿入される挿入部５１と、を有し、挿入部５１が突出部５０よりも長く形成されている。突出部５０と挿入部５１との間には、突出部５０と挿入部５１とを繋ぐ中間部５２が設けられている。
【００２８】
連結部材５は、挿入部５１が、枠組みされた額縁構成枠３の縦枠材３２の内周側に位置し、突出部５０が縦枠材３２の外周側に位置する位置にて、連結部材５を長手方向に沿う仮想軸３２１の周りに回転させて中間部５２が係合切欠部３２０に挿入される。中間部５２が係合切欠部３２０に挿入されて、扁平状の挿入部５１がほぼ水平をなす状態では、突出部５０及び挿入部５１に各々、縦内周面対向部３２ａと対向する対向突部５０ａ、５１ａがそれぞれ設けられている。
【００２９】
突出部５０に設けられている対向突部５０ａは、図１０（ｂ）に示すように、中間部５２よりも見込み方向にける両側と、中間部５２よりも下方に突出させて３箇所に設けられており、挿入部５１に設けられている対向突部５１ａは、図１０（ｃ）に示すように、中間部５２よりも見込み方向にける両側であって、突出部５０の対向突部５０ａと見込み方向において対向する位置に設けられている。突出部５０の対向突部５０ａと挿入部５１の対向突部５１ａとの、見込み方向における間隔、すなわち中間部５２の長手方向の幅Ｗ３は、縦枠材３２厚みｔとほぼ同じ、或いは、僅かに大きく形成されている。
【００３０】
連結部材５は、縦内周面対向部３２ａの見込み面に直交する仮想軸３２１(図６)に、連結部材５の長手方向が沿わされた状態で、仮想軸３２１周りに回転させて縦枠材３２に装着される。連結部材５が装着される状態を、左側の縦枠材３２に装着される場合について図１１を用いて説明する。図１１においては、連結部材５を、図１０（ａ）におけるＡ−Ａ又は、Ｂ−Ｂにて切除したときの中間部５２の断面と、Ａ−Ａ又は、Ｂ−Ｂから見た時に見える対向突部５０ａ、５１ａのみにて示し、他の部位を省略している。
【００３１】
連結部材５を、図６に示すように、係合切欠部３２０に装着する際には、連結部材５の長手方向が縦内周面対向部３２ａの見込み面と直交する左右方向に沿うように向けるとともに、中間部５２が左右方向において縦内周面対向部３２ａの上方であって、係合切欠部３２０の上方に位置するように配置する。このとき、突出部５０の対向突部５０ａが、見込み方向における両側と、下側とに位置するように連結部材５を向けておく。
【００３２】
次に、図１１に示すように、連結部材５のガラス側が表面材側よりも低くなるように、仮想軸３２１周りに回転させて傾けつつ係合切欠部３２０内に挿入させていく。このとき、突出部５０の対向突部５０ａが、縦内周面対向部３２ａよりも左側に、挿入部５１の対向突部５１ａが、縦内周面対向部３２ａよりも右側に位置するように挿入していく。
【００３３】
次に、中間部５２のガラス側の上縁５２ａが、ガラス側連結縁３２０ｉより下側に移動した後に、連結部材５を、連結部材５の表面材側の部位が低くなるように仮想軸３２１周りに回転させて水平に近づけつつガラス側に移動させる。このときの回転方向は、挿入部５１から突出部５０方向に見て反時計回りである。
【００３４】
連結部材５は、挿入部５１がほぼ水平になると、突出部５０の対向突部５０ａと挿入部５１の対向突部５１ａとの間に縦内周面対向部３２ａが位置し、突出部５０の３つの対向突部５０ａと挿入部５１の２つの対向突部５１ａとにより左右方向の移動が規制される。また、この状態では、中間部５２が、係合切欠部３２０の表面材側下縁３２０ｅとガラス側下縁３２０ｈとにより見込み方向の移動が規制され、底縁３２０ｃとガラス側連結縁３２０ｉとにより上下方向の移動が規制されている。特に、本実施形態の場合には、横枠材３１の横ガラス対向部３１ｃが縦枠材３２の縦ガラス対向部３２ｃを見込み方向に重なって回転が規制されるので、連結部材５が横枠材３１から脱ける方向にずれて横枠材３１の小口３１ｊと縦枠材３２との間に隙間が生じたとしても即座に横枠材３１と縦枠材３２とが分離することはない。
合切欠部３２０から外れない。
【００３５】
連結部材５が縦枠材３２の係合切欠部３２０に係合された状態で、図１２、図１３に示すように、横枠材３１の小口３１ｊを縦内周面対向部３２ａの右側の見込み面に当接させるように接合する。このとき、連結部材５の挿入部５１は、横枠材３１の連結部材被挿入部３１ｆに、横枠材３１の長手方向に沿って圧入状態で挿入される。このとき、連結部材５は、縦枠材３２の係合切欠部３２０に係合されているとともに横枠材３１の連結部材被挿入部３１ｆに挿入されている。
【００３６】
連結部材５により横枠材３１と縦枠材３２とが接合されると、残存する縦ガラス対向部３２ｃと、縦接着部３２ｄの張出部３２ｅとの間に、横枠材３１の横ガラス対向部３１ｃが挿入される。このとき、横ガラス対向部３１ｃの表面材側の面から横ガラス当接片３１ｉの先端までの幅Ｗ４(図７)は、縦ガラス対向部３２ｃのガラス側の面と張出部３２ｅの表面材側の面との間隔Ｌ３(図７)とほぼ一致している。このため、横ガラス対向部３１ｃが、縦ガラス対向部３２ｃの縦ガラス当接片３２ｇが切除されている部位に当接され、横枠材３１の横ガラス当接片３１ｉが、縦枠材３２の縦接着部３２ｄの内周側に張り出している張出部３２ｅの表面材側に当接される。
【００３７】
また、横枠材３１の横接着部３１ｅの端部が、縦枠材３２に設けられた凹部３２ｈに挿入されて、横枠材３１の横接着部３１ｅと縦枠材３２の縦接着部３２ｄとが矩形状に繋がる。このように、横枠材３１と縦枠材３２とが接合されることにより、横枠材３１は、縦枠材３２に対して、見込み方向の何れにも、また上下方向の何れにも移動が規制され、仮想軸３２１周りの回転も規制される。このとき、横枠材３１の連結部材被挿入部３１ｆに挿入部５１が挿入されている連結部材５も、仮想軸３２１周りの回転も規制される。特に、連結部材５における、挿入部５１から突出部５０方向に見て時計回りの回転が規制されることにより、連結部材５により接合されている横枠材３１と縦枠材３２とは、より確実に接合される。
【００３８】
上下の横枠材３１と左右の縦枠材３２とが接合された額縁構成枠３を２つ用い、開口１ｅに設けるガラス板２０の外周部２０ａを挟むように戸本体１ｃの両面側からそれぞれ装着すると共に、横枠材３１の横ガラス当接片３１ｉと縦枠材３２の縦ガラス当接片３２ｇとに、接着剤４にてガラス板２０の外周部２０ａを接着して扉１を形成する。
【００３９】
本実施形態の連結構造及び扉１によれば、横枠材３１と縦枠材３２とを連結する連結部材５が、縦枠材３２の係合切欠部３２０に係合されているとともに横枠材３１の連結部材被挿入部３１ｆに挿入されて横枠材３１と縦枠材３２とが連結されている。このため、工具等を使用することなく容易に横枠材３１と縦枠材３２とを連結することが可能である。
【００４０】
連結部材５は、縦枠材３２の係合切欠部３２０に対して、回転されることにより解除可能に係合されており、横枠材３１と縦枠材３２とが連結されることにより回転が規制されるので、横枠材３１と縦枠材３２とが連結された状態では、連結部材５は、回転が規制されて縦枠材３２から外れない。このため、横枠材３１と縦枠材３２とをより外れ難い状態に、容易に連結することが可能な連結構造、及び、横枠材３１と縦枠材３２とをより外れ難い状態に連結された額縁構成枠３を有する扉１を提供することが可能である。
【００４１】
また、横枠材３１と縦枠材３２とが連結された状態では、連結部材５が挿入されている横枠材３１が縦枠材３２に係止されて横枠材３１の回転が規制されているので、連結部材５の回転をより確実に規制することが可能である。
【００４２】
また、横枠材３１が縦枠材３２に係止されるのは、長手方向に沿ってガラス板２０の外周部２０ａと対面する横ガラス対向部３１ｃであり、横ガラス対向部３１ｃは、ガラス板２０の外周部２０ａと対面するだけの幅を有しているので、たとえば縁同士が係合する場合より確実に回動を規制することが可能である。特に、本実施形態の場合には、横枠材３１の横ガラス対向部３１ｃが縦枠材３２の縦ガラス対向部３２ｃを見込み方向に重なって回転が規制されるので、連結部材５が横枠材３１から脱ける方向にずれて横枠材３１の小口３１ｊと縦枠材３２との間に隙間が生じたとしても即座に横枠材３１と縦枠材３２とが分離することはない。
【００４３】
上記実施形態においては、左右の縦枠材３２に各々設けた係合切欠部３２０を、各々の縦内周面対向部３２ａを対面させたときに、重なる形状に形成し、連結部材が同方向に回転したときに係合し、また、係合が解除される例について説明したが、これに限るものではない。例えば、図１４に示すように、左右の縦枠材３２に、見込み方向において表面材側とガラス側とが反転した形状の係合切欠部３２０を設けておくと、連結部材５の係合が解除される回転方向を、左の縦枠材３２側と、右の縦枠材３２側とで反対にすることが可能である。このため、左右の縦枠材３２と係合された連結部材５とにより、互いに係合が解除される方向への回転を規制し合うので、横枠材３１の両側に縦枠材３２を連結するだけで、縦枠材３２及び横枠材３１に回転の規制部を設けることなく、横枠材３１と縦枠材３２とをより外れ難く連結することが可能である。この場合にも、上記実施形態のように、縦枠材３２と横枠材３１とが連結されて互いの回転を規制する規制部を備えておくと、横枠材３１と縦枠材３２とを更に外れ難く連結することが可能である。
【００４４】
上記実施形態においては、縦枠材３２に突出部５０を係合させ、横枠材３１に挿入部５１を挿入させて横枠材３１と縦枠材３２とを連結する例について説明したが、横枠材３１に突出部５０を係合させ、縦枠材３２に挿入部５１を挿入させて横枠材３１と縦枠材３２とを連結しても構わない。
【００４５】
上記実施形態においては、額縁ユニット２が取り付けられた戸体を、扉を例に挙げて説明したが、扉に限ることなく、引戸や開き戸などの障子であっても構わない。また、額縁ユニットは、壁などに直接設けられていても構わない。また、額縁に限らず、２つの枠材を連結部材にて接合する構成であれば、例えば、図１５に示すように、上吊りの片引き障子１１を支持する枠体１２の縦枠材１２ａと横枠材１２ｂとを連結部材５にて連結する形態であっても構わない。この場合には、縦枠材１２ａに係合された連結部材５を横枠材１２ｂに挿入して連結した際に、縦枠材１２ａのヒレ部１２ｃの間に、横枠材１２ｂが挿入されて横枠材１２ｂの側壁部１２ｄが縦枠材１２ａのヒレ部１２ｃと係合する。この係合により横枠材１２ｂの回転が規制されるため、連結部材５の回転が規制されて縦枠材１２ａと横枠材１２ｂとがより確実に連結される。
【００４６】
上記実施形態においては、面材の一例としてガラス板を例に挙げて説明したが、これに限らず、例えばポリカーボネート板などであっても構わない。
【００４７】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４８】
本実施形態には、少なくとも以下の発明が含まれる。
２つの枠材を連結部材により連結する連結構造であって、前記２つの枠材のうちの一方の枠材は、長手方向における端部に前記連結部材が回転されることにより解除可能に係合する切欠部を有し、前記２つの枠材のうちの他方の枠材は、長手方向における端部に前記連結部材が長手方向に沿って挿入される被挿入部を有し、前記連結部材は、前記一方の枠材の前記切欠部に係合されているとともに前記他方の枠材の前記被挿入部に挿入されていることにより前記回転が規制されていることを特徴とする連結構造である。
【００４９】
このような連結構造によれば、２つの枠材を連結する連結部材が、一方の枠材の切欠部に係合されているとともに他方の枠材の被挿入部に挿入されて２つの枠材が連結されている。このため、工具等を使用することなく容易に２つの枠材を連結することが可能である。連結部材は、一方の枠材の切欠部に対して、回転されることにより解除可能に係合されており、２つの枠材が連結されていることにより回転が規制されるので、２つの枠材が連結された状態では、連結部材は、回転が規制されて一方の枠材から外れない。このため、２つの枠材をより外れ難い状態に、容易に連結することが可能な連結構造を提供することが可能である。
【００５０】
かかる連結構造であって、前記一方の枠材と前記他方の枠材とが連結された状態で前記他方の枠材が前記一方の枠材に係止されて前記他方の枠材の回転が規制されていることを特徴とする。
【００５１】
このような連結構造によれば、一方の枠材と他方の枠材とが連結された状態では、連結部材が挿入されている他方の枠材が一方の枠材に係止されて他方の枠材の回転が規制されているので、連結部材の回転をより確実に規制することが可能である。
【００５２】
かかる連結構造であって、対をなす前記一方の枠材と、対をなす前記他方の枠材とが連結されて面材の外周部に当接可能な枠体をなし、前記一方の枠材及び前記他方の枠材は、各々の前記枠材の長手方向に沿って前記面材の外周部と対面する面材対向部を有し、前記他方の枠材は、当該他方の枠材の前記面材対向部が前記一方の枠材に係止されていることを特徴とする。
【００５３】
このような連結構造によれば、他方の枠材が一方の枠材に係止されるのは、長手方向に沿って面材の外周部と対面する面材対向部であり、面材対向部は、面材の外周部と対面するだけの幅を有しているので、たとえば縁同士が係合する場合より確実に回動を規制することが可能である。また、所定の幅を持った部位にて係止されるので、２つの枠材の相対位置にずれが生じたとしても即座に２つの枠材が分離することを防止することが可能である。
【００５４】
かかる連結構造であって、前記連結部材が係合される一対の前記一方の枠材は、互いに間隔を隔てて対面する対面部に各々前記切欠部が設けられており、対面する前記対面部の前記切欠部に各々係合される前記連結部材は、前記切欠部との係合が解除される際の前記回転の方向が互いに反対であることを特徴とする。
【００５５】
このような連結構造によれば、一対の一方の枠材と、両端部が連結部材により連結される他方の枠材は、両端部に各々挿入される２つの連結部材において、切欠部との係合が解除される際の回転の方向が互いに反対なので、一対の一方の枠材と他方の枠材とを連結するだけで、２つの連結部材が、切欠部との係合が解除される方向への回転を互いに規制し合う。このため、より確実に連結部材の回転を規制して、より確実に連結された枠体を形成することが可能である。
【００５６】
かかる連結構造であって、対をなす前記一方の枠材と、対をなす前記他方の枠材とが連結されて枠体をなし、前記連結部材が係合される一対の前記一方の枠材は、互いに間隔を隔てて対面する対面部に各々前記切欠部が設けられており、対面する前記対面部の前記切欠部に各々係合される前記連結部材は、前記切欠部との係合が解除される際の前記回転の方向が互いに反対である。
【００５７】
このような連結構造によれば、対をなす一方の枠材と、両端部が連結部材により連結される他方の枠材は、両端部に各々挿入される２つの連結部材において、切欠部との係合が解除される際の回転の方向が互いに反対なので、一対の一方の枠材と他方の枠材とを連結するだけで、２つの連結部材が、切欠部との係合が解除される方向への回転を互いに規制し合う。このため、２つの枠材の回転を規制する部位を設けることなく、連結部材を一方の部枠材に係合させ、他方の枠材に挿入するだけで、より確実に連結することが可能である。
【００５８】
また、上記連結構造により連結された前記枠体と、前記枠体が装着される戸本体と、を有することを特徴とする戸体である。
このような戸体によれば、２つの枠材が、外れ難い状態に連結された枠体を備えた戸体を提供することが可能である
【符号の説明】
【００５９】
１  扉、１ｃ  戸本体、２０  ガラス板、２０ａ  ガラス板の外周部、
３  額縁構成枠、５  連結部材、１１  障子、１２  枠体、１２ａ  縦枠材、
１２ｂ  横枠材、３１  横枠材、３１ａ  横内周面対向部、３１ｃ  横ガラス対向部、
３１ｆ  連結部材被挿入部、３２  縦枠材、３２ａ  縦内周面対向部、
３２ｃ  縦ガラス対向部、３２０  係合切欠部、
【図１】
2020023843.tif 000003
【図２】
2020023843.tif 000004
【図３】
2020023843.tif 000005
【図４】
2020023843.tif 000006
【図５】
2020023843.tif 000007
【図６】
2020023843.tif 000008
【図７】
2020023843.tif 000009
【図８】
2020023843.tif 000010
【図９】
2020023843.tif 000011
【図１０】
2020023843.tif 000012
【図１１】
2020023843.tif 000013
【図１２】
2020023843.tif 000014
【図１３】
2020023843.tif 000015
【図１４】
2020023843.tif 000016
【図１５】
2020023843.tif 000017